(57)【要約】【課題】  観察用のツールを収容すると共に観察ステージとしての利便性を向上させた観察ツールケースを提供する。【解決手段】  観察用のツールを収容するものであり、ケース本体１の蓋部１ｂに観察ステージ１０を形成し、その観察ステージ１０が黒色の部分の黒色シート１０ａと白色の部分の白色シート１０ｂとに分割され、更に、観察ステージ１０が撥水性の素材で、ツヤ消し素材で形成されるものであり、携帯用のハンディタイプの顕微鏡と組み合わせて、観察を行う場合に、使い勝手を向上させる観察用のツールケースである。【選択図】        図１
0003210639.tif 000002
【実用新案登録請求の範囲】
【請求項１】
顕微鏡の観察用のツールを収納する観察用ツールケースであって、
蓋の表面を、白色の部分と黒色の部分とから成る撥水性のツヤ消し素材の観察ステージとしたことを特徴とする観察用ツールケース。
【請求項２】
観察ステージは、蓋の表面に、白色の部分と黒色の部分とから成る撥水性のツヤ消し素材のシートを貼り合わせたものであることを特徴とする請求項１記載の観察用ツールケース。
【請求項３】
蓋の表面を２分割し、前記２分割した一方を黒色の部分とし、他方を白色の部分としたことを特徴とする請求項１又は２記載の観察用ツールケース。
【請求項４】
内部が、観察用のツールの収納用として区切られていることを特徴とする請求項１乃至３のいずれか記載の観察用ツールケース。
【請求項５】
観察ステージ以外は、半透明の素材で形成されていることを特徴とする請求項１乃至４のいずれか記載の観察用ツールケース。
【考案の詳細な説明】
【技術分野】
【０００１】
本考案は、顕微鏡で観察するのに必要なツールを収納するケースに係り、特に、観察しやすい観察ステージを備えた観察用ツールケースに関する。
【背景技術】
【０００２】
［先行技術の説明］
従来の観察用のツールケースは、プレパラートやスポイトを収納できる箱状のケースがあった。
また、スマートフォンを箱状の台にセットし、スマートフォンのカメラ機能を利用して顕微鏡として使用する装置がある。
【０００３】
また、顕微鏡の中には、ハンディタイプのものが提供されている。
ハンディタイプの顕微鏡は、焦点を調整するためのダイヤルを備え、観察対象にＬＥＤ（Light Emitting Diode）ライトで照射して、屋外でも簡単に観察できるようになってきている。
尚、この顕微鏡には、ＵＶ（Ultra Violet）ライトを備えるものがある。
【０００４】
この顕微鏡は、覗き穴から直接、観察物を見ることができ、その覗き穴にスマートフォンのカメラのレンズを載せると、スマートフォンの画面に拡大された観察物が表示され、撮影できるようになっている。
【０００５】
［関連技術］
尚、関連する先行技術としては、特開２００５−１２２０８０号公報「プレパラート回転器」（特許文献１）、特開２０１５−１３５５３３号公報「スマートデバイス用レンズユニット」（特許文献２）がある。
【０００６】
特許文献１には、プレパラートをステージ上で回転させる回転機能を備えた構成示されている。
特許文献２には、スマートフォンのレンズ部分に取り付けるユニットで、スマートフォンと一体で顕微鏡となる構成が示されている。
【先行技術文献】
【特許文献】
【０００７】
【特許文献１】特開２００５−１２２０８０号公報
【特許文献２】特開２０１５−１３５５３３号公報
【考案の概要】
【考案が解決しようとする課題】
【０００８】
しかしながら、従来の観察用のツールケースでは、プレパラートやスポイト等の観察用のツールを収納するのみで、観察ステージとして使用する構成とはなっておらず、また、ツールケースを観察ステージとして利用する場合に、利用しやすい構成とはなっておらず、観察する際に使い勝手が悪いという問題点があった。
尚、特許文献１，２には、観察ステージとして利用する構成は記載されていない。
【０００９】
本考案は上記実状に鑑みて為されたもので、観察用のツールを収容すると共に観察ステージとしての利便性を向上させた観察用ツールケースを提供することを目的とする。
【課題を解決するための手段】
【００１０】
上記従来例の問題点を解決するための本考案は、顕微鏡の観察用のツールを収納する観察用ツールケースであって、蓋の表面を、白色の部分と黒色の部分とから成る撥水性のツヤ消し素材の観察ステージとしたことを特徴とする。
【００１１】
本考案は、上記観察用ツールケースにおいて、観察ステージが、蓋の表面に、白色の部分と黒色の部分とから成る撥水性のツヤ消し素材のシートを貼り合わせたものであることを特徴とする。
【００１２】
本考案は、上記観察用ツールケースにおいて、蓋の表面を２分割し、２分割した一方を黒色の部分とし、他方を白色の部分としたことを特徴とする。
【００１３】
本考案は、上記観察用ツールケースにおいて、内部が、観察用のツールの収納用として区切られていることを特徴とする。
【００１４】
本考案は、上記観察用ツールケースにおいて、観察ステージ以外が、半透明の素材で形成されていることを特徴とする。
【考案の効果】
【００１５】
本考案によれば、蓋の表面を、白色の部分と黒色の部分とから成る撥水性のツヤ消し素材の観察ステージとした観察用ツールケースとしているので、観察用のツールを収容しつつ、ハンディタイプの顕微鏡と共に使用すれば、観察ステージとしての利便性を向上させることができる効果がある。
【図面の簡単な説明】
【００１６】
【図１】本ケースの正面概略図である。
【図２】本ケースの背面概略図である。
【図３】本ケースの蓋部を開けた状態の概略図である。
【考案を実施するための形態】
【００１７】
本考案の実施の形態について図面を参照しながら説明する。
［実施の形態の概要］
本考案の実施の形態に係る観察用ツールケースは、ケース本体の蓋の表面に、白色の部分と黒色の部分とから成る撥水性のツヤ消しの観察ステージを形成したものであり、観察用のツールを利用できると共に、観察ステージとしても利用できるので、ハンディタイプの顕微鏡と組み合わせて使用すれば、観察の利便性を向上させることができるものである。
【００１８】
［本ケース１：図１，２］
本考案の実施の形態に係る観察用ツールケース（本ケース）について図１、図２を参照しながら説明する。図１は、本ケースの正面概略図であり、図２は、本ケースの背面概略図である。
本ケースは、図１、図２に示すように、ケース本体１と、観察ステージ１０とから構成されている。
【００１９】
［ケース本体１］
ケース本体１は、正面部１ａと、上面部（蓋部）１ｂと、背面部１ｅと、図１，２には表れていないが、側面部１ｃ，１ｄと、底面部も備えている。
また、ケース本体１は、ＰＰ（ポリプロピレン）等で形成されている。
【００２０】
そして、図１に示すように、正面部１ａと蓋部１ｂには、両者を開閉可能に固定する固定部１１を備えている。
固定部１１は、蓋部１ｂと一体に形成され、正面部１ａに形成された凹部に係止する凸部を備え、蓋部１ｂを閉じると凸部が凹部に係止して固定され、蓋部１ｂを開けるときは、固定部１１を下から持ち上げると、凸部が凹部から外れて開くものである。
【００２１】
また、図２に示すように、ケース本体１の背面側には、背面部１ｅと蓋部１ｂを接続する接続部１２を備えている。
接続部１２は、背面部１ｅと蓋部１ｂを２箇所で接続する構成となっており、接続部１２を中心軸として蓋部１ｂが開閉するものである。接続部１２は、１箇所で接続する構成でもよい。
【００２２】
［観察ステージ１０］
観察ステージ１０は、蓋部１ｂ上に形成されるもので、本ケースでは、白色と黒色のシートが貼り付けられている。
また、観察ステージ１０のシートは、約半分が黒色シート１０ａで、残り約半分が白色シート１０ｂで構成されている。
【００２３】
そして、観察時にスポイト等で液体を扱うことがあるため、当該シートは、液体をはじく撥水性の特性を備えており、観察しやすくなっている。
また、当該シートは、ツヤ消しの素材で形成され、光を反射せず、顕微鏡で覗いた際に見やすく、観察しやすいものである。
【００２４】
ここで、観察ステージ１０上でプレパラートを作成することができ、黒色シート１０ａには観察対象が無色透明又は白色系のものを載せて観察すると見やすく、白色シート１０ｂには観察対象が上記以外の色のものを載せて観察すると見やすいものである。
特に、虫などの観察物の持つ色によって、観察ステージ上で見やすかったり、見にくかったりするため、背景の白黒によって観察物をより見やすくできるように使い分けることが可能である。つまり、プレパラートを観察ステージ１０上で移動させて黒色シート１０ａ又は白色シート１０ｂを選択することになる。
尚、観察ステージ１０上に、観察対象を直接載せて観察してもよい。
【００２５】
［本ケースを開けた状態：図３］
本ケースの蓋部１ｂを開けた状態について図３を参照しながら説明する。図３は、本ケースの蓋部を開けた状態の概略図である。
図３に示すように、蓋部１ｂの長辺が背面部１ｅと接続部１２により折り曲げ可能に接続し、他方の長辺が固定部１１によって正面部１ａと着脱可能となっている。
上述したとおり、固定部１１は接続状態を保持するロック機能の役割を果たしている。
【００２６】
固定部１１を押し上げて、蓋部１ｂを開けると、ケース本体１の内部は、観察用のツールを個別に収納するために仕切られた（区切られた）仕切り部１３を備えている。
仕切り部１３は、収納する観察用のツールの形状に合わせて区切られて形成されている。
【００２７】
観察用のツールとしては、ピンセット、スポイト、スライドガラスとカバーガラス、ＵＶマーカーペン、蓄光石等がある。
ピンセットは、観察物やカバーガラスなどの小さな物をつかむためのものである。
スポイトは、プレパラートを作る際に水滴をたらしたり、水中にいる微生物などを吸い上げるものである。
【００２８】
スライドガラスとカバーガラスは、微生物などを載せてオリジナルのプレパラートを作成するためのものである。
ＵＶマーカーペンは、水性で、絵や文字を書いて、ハンディタイプの顕微鏡に設けられたＵＶライトを照らすと、絵等が浮かび上がるものである。
蓄光石は、ＵＶライトを照射すると、暗所で発光するものである。
【００２９】
仕切り部１３は、例えば、細長い形状のツール（ピンセット、ＵＶマーカーペン）を収納するために、ケース本体１の背面部１ｅに沿って細長い空間が形成され、丸みのある形状のツール（蓄光石）を収納するために、側面部１ｄに沿って正方形に近い空間が形成されている。
【００３０】
また、複数のスライドガラスが収納できるように、正面部１ａに沿って収納部が形成され、その収納部の短辺内側に複数の凹凸形状が形成され、その凹部にスライドガラスが個別にセットされるようになっている。
【００３１】
また、スポイトを収納する収納部も、スポイトを取り出しやすくするために、収納部の内部にスポイトを持ち上げて支える支え部を複数備えている。
更に、スポイトの先端部分における支え部は、スポイトの先端部分を固定して保護する構成となっている。
また、カバーガラスは、蓄光石と同じスペースの蓄光石の下に袋入にして収納されている。
【００３２】
本ケースとハンディタイプの顕微鏡を組み合わせて携帯すれば、どこでもいつでも観察することができ、例えば、生徒の野外学習に最適な道具となり、観察と研究を推進できるものとなる。
【００３３】
［実施の形態の効果］
本ケースによれば、観察用のツールケースにおいて、蓋部１ｂに白色の部分と黒色の部分から成り、撥水性のツヤ消し素材の観察ステージ１０を形成しているので、観察用のツールを収容でき、携帯用のハンディタイプの顕微鏡と組み合わせて、観察を行う場合に、使い勝手を向上させることができる効果がある。
【産業上の利用可能性】
【００３４】
本考案は、観察用のツールを収容すると共に観察ステージとしての利便性を向上させた観察ツールケースに適している。
【符号の説明】
【００３５】
１…ケース本体、  １ａ…正面部、  １ｂ…上面部（蓋部）、  １ｃ，１ｄ…側面部、  １ｅ…背面部、  １０…観察ステージ、  １０ａ…黒色シート、  １０ｂ…白色シート、  １１…固定部、  １２…接続部、  １３…仕切り部
【図１】
0003210639.tif 000003
【図２】
0003210639.tif 000004
【図３】
0003210639.tif 000005